(57)【要約】【課題】無線機の内部温度が、調整をしたときの温度とは異なる温度であっても、送信信号の基準信号などの周波数が所定の変動範囲に収まっていることを保証することが可能となること。【解決手段】無線機１の基準信号生成手段２８は、発振電圧が指定されると、その発振電圧に対応する周波数の基準信号を生成する。記憶手段５は、無線機１のアンテナ１１が所定の電波を受信している状態で所定のローカル信号が生成されるように調整された発振電圧を記憶する。指定手段４は、記憶手段５に記憶される発振電圧あるいはその発振電圧に所定の値を加減した電圧を、基準信号生成手段２８に指定する。送信信号生成手段２２は、アンテナ１１から電波として送信される送信信号として、指定手段４の指定により基準信号生成手段２２が生成する基準信号に基づいた搬送波成分を有するものを生成する。【選択図】図１
2007251362.tif 000002
【特許請求の範囲】
【請求項１】
発振電圧が指定されると、その発振電圧に対応する周波数の基準信号を生成する基準信号生成手段と、
無線機のアンテナが所定の電波を受信している状態で所定のローカル信号が生成されるように調整された発振電圧を記憶する記憶手段と、
上記記憶手段に記憶される上記発振電圧あるいはその発振電圧に所定の値を加減した電圧を、上記基準信号生成手段に指定する指定手段と、
上記アンテナから電波として送信される送信信号として、上記指定手段の指定により上記基準信号生成手段が生成する基準信号に基づいた搬送波成分を有するものを生成する送信信号生成手段と、
を有することを特徴とする無線機。
【請求項２】
発振電圧が指定されると、その発振電圧に対応する周波数の基準信号を生成する基準信号生成手段と、
無線機のアンテナの受信電波に基づいて生成される受信信号と混合されるローカル信号を生成するローカル信号生成手段と、
上記基準信号と上記ローカル信号とを比較し、これらの信号の位相差が無くなるように上記ローカル信号生成手段へ制御信号を出力する位相比較手段と、
上記アンテナが所定の周波数の電波を受信している状態で上記位相比較手段により上記基準信号と上記ローカル信号とを比較させるとともに上記基準信号生成手段に指定する発振電圧を調整する調整手段と、
上記調整手段により調整された発振電圧を記憶する記憶手段と、
上記記憶手段に記憶される上記発振電圧あるいはその発振電圧に所定の値を加減した電圧を、上記基準信号生成手段に指定する指定手段と、
上記アンテナから電波として送信される送信信号として、上記指定手段の指定により上記基準信号生成手段が生成する基準信号に基づいた搬送波成分を有するものを生成する送信信号生成手段と、
を有することを特徴とする無線機。
【請求項３】
前記受信信号と前記ローカル信号とが混合されることにより生成される混合信号あるいはその混合信号に基づく信号による電圧レベルを検出する電圧レベル検出手段を有し、
前記調整手段は、前記アンテナが前記所定の周波数の電波を受信しているときに上記電圧レベル検出手段により検出される電圧レベルが、所望の電圧レベルとなるように、発振電圧を調整すること、
を特徴とする請求項２記載の無線機。
【請求項４】
前記受信信号と前記ローカル信号とが混合されることにより生成される混合信号に対してさらに別のローカル信号が混合された信号による電圧レベルを検出する電圧レベル検出手段を有し、
前記調整手段は、前記アンテナが前記所定の周波数の電波を受信しているときに上記電圧レベル検出手段により検出される電圧レベルが、前記アンテナが前記所定の周波数の電波を受信しているときの上記混合信号と同じ周波数の電波を受信しているときに上記電圧レベル検出手段により検出される電圧レベルとなるように、発振電圧を調整すること、
を特徴とする請求項２記載の無線機。
【請求項５】
前記受信信号と前記ローカル信号とを混合して前記混合信号を生成するミキサと、
前記アンテナが前記所定の周波数の電波を受信しているときの上記混合信号と同じ周波数の前記電波を受信するときに、上記ミキサをバイパスして、前記アンテナが受信により生成する信号を上記ミキサの後段へ供給するパイパススイッチと、
を有することを特徴とする請求項４記載の無線機。
【請求項６】
無線機の送信時に、発振電圧が指定されると、送信信号あるいはその搬送波成分を生成するための所定の周波数の基準信号を生成する基準信号生成手段を用いた送信用基準信号の調整方法であって、
送信時に使用する上記基準信号生成手段を、受信信号と混合されるローカル信号と上記基準信号との位相差を制御する位相比較手段に接続して、上記ローカル信号を生成するローカル信号生成手段、上記基準信号生成手段および上記位相比較手段からなるフェーズロッドループを構成し、
無線機が所定の周波数の電波を受信しているときに前記受信信号と前記ローカル信号とが混合されることにより生成される混合信号あるいはその混合信号に基づく信号による電圧レベルが、所望の電圧レベルとなるように、上記基準信号生成手段へ指示する発振電圧を調整すること、
を特徴とする無線機の送信用基準信号の調整方法。
【請求項７】
無線機の送信時に、発振電圧が指定されると、送信信号あるいはその搬送波成分を生成するための所定の周波数の基準信号を生成する基準信号生成手段を用いた送信用基準信号の調整方法であって、
送信時に使用する上記基準信号生成手段を、受信信号と混合されるローカル信号と上記基準信号との位相差を制御する位相比較手段に接続して、上記ローカル信号を生成するローカル信号生成手段、上記基準信号生成手段および上記位相比較手段からなるフェーズロッドループを構成し、
無線機が所定の周波数の電波を受信しているときに受信信号とローカル信号とが混合されることにより生成される混合信号と同じ周波数の電波を受信している状態での、その混合信号あるいはその混合信号に基づく信号による電圧レベルを検出し、
無線機が前記所定の周波数の電波を受信しているときの混合信号あるいはその混合信号に基づく信号による電圧レベルが、上記検出した電圧レベルとなるように、基準信号生成手段へ指示する発振電圧を調整すること、
を特徴とする無線機の送信用基準信号の調整方法。
【発明の詳細な説明】
【技術分野】
【０００１】
本発明は、無線機およびその送信用基準信号の調整方法に関する。
【背景技術】
【０００２】
特許文献１は、無線装置を開示する。この無線装置のミキサは、アンテナの受信信号と基準信号発生器が発生する局部発振信号とを混合して中間周波信号を生成し、復調器は、この中間周波信号に基づき信号を復調する。
【０００３】
また、調整モードにおいて、無線装置のＣＰＵは、受信波を基準信号として扱い、同調指示出力が同調点となるように基準周波数を制御する。ＣＰＵは、そのときのＤ／Ａコンバーターに対する出力値とＡ／Ｄコンバーターからの入力値の各デジタル値を、一組のデーターとしてＲＡＭに記憶させる。このように、ＣＰＵは、受信波を基準信号として用いることにより各種の信号の周波数を設定することができる。
【０００４】
【特許文献１】特開平８−２７４５８９号公報（請求項１、００１５〜００１８など）
【発明の開示】
【発明が解決しようとする課題】
【０００５】
特許文献１は、電波を受信する無線装置において、その受信周波数を調整モードで調整している。無線機には、この他にも、電波を送信したり、電波を送受信したりするものがある。このように電波を送信する無線機においても、その送信周波数を調整モードで調整するのが望ましい。実際に、電波を送信する無線機では、送信出力を周波数カウンタなどでモニタし、送信周波数を調整したりしている。
【０００６】
しかしながら、電波を送信すると、無線機の内部温度は、高周波送信アンプの発熱などにより上昇する。特に、近年の無線機は小型化が図られており、無線機の内部温度は、送信動作を開始すると、その直後から上昇し始めてしまう傾向にある。無線機の内部温度は、常温より高い温度になってしまう。
【０００７】
電波を送信する無線機では、送信信号の周波数の基準信号を生成するために、電圧制御発振回路を使用している。電圧制御発振回路は、常温において所望の周波数を出力するように調整した場合、その電圧制御発振回路の使用環境温度がたとえば−３０〜＋６０度の温度範囲で変化するとき、その発振周波数がたとえばプラスマイナス０．９ｐｐｍの変動に収まることが保証されている。逆に、常温以外の温度において周波数が調整された場合、その発振周波数の温度による変動幅は、保証されていない。
【０００８】
電波を送信する無線機において、電波を送信している状態で送信周波数を調整すると、その調整をするときの温度は、上述した理由により常温より高い温度となってしまう。その結果、電圧制御発振回路が生成する基準信号などは、所望の周波数で出力されることを期待することができなくなってしまう。すなわち、たとえば電圧制御発振回路の使用環境温度範囲において、基準信号の周波数変動が電圧制御発振回路において保証された変動範囲に収まらなくなってしまう可能性がある。当然のことながら、電波を送信する無線機は、基準信号の周波数変動が所定の変動範囲に収まっていることを、保証することができない。
【０００９】
本発明は、無線機の内部温度が、調整をしたときの温度とは異なる温度であっても、送信信号の基準信号などの周波数が所定の変動範囲に収まっていることを保証することが可能となる無線機およびその送信用基準信号の調整方法を得ることを目的とする。
【課題を解決するための手段】
【００１０】
本発明に係る無線機は、発振電圧が指定されると、その発振電圧に対応する周波数の基準信号を生成する基準信号生成手段と、無線機のアンテナが所定の電波を受信している状態で所定のローカル信号が生成されるように調整された発振電圧を記憶する記憶手段と、記憶手段に記憶される発振電圧あるいはその発振電圧に所定の値を加減した電圧を、基準信号生成手段に指定する指定手段と、アンテナから電波として送信される送信信号として、指定手段の指定により基準信号生成手段が生成する基準信号に基づいた搬送波成分を有するものを生成する送信信号生成手段と、を有するものである。
【００１１】
本発明に係る他の無線機は、発振電圧が指定されると、その発振電圧に対応する周波数の基準信号を生成する基準信号生成手段と、無線機のアンテナの受信電波に基づいて生成される受信信号と混合されるローカル信号を生成するローカル信号生成手段と、基準信号とローカル信号とを比較し、これらの信号の位相差が無くなるようにローカル信号生成手段へ制御信号を出力する位相比較手段と、アンテナが所定の周波数の電波を受信している状態で位相比較手段により基準信号とローカル信号とを比較させるとともに基準信号生成手段に指定する発振電圧を調整する調整手段と、調整手段により調整された発振電圧を記憶する記憶手段と、記憶手段に記憶される発振電圧あるいはその発振電圧に所定の値を加減した電圧を、基準信号生成手段に指定する指定手段と、アンテナから電波として送信される送信信号として、指定手段の指定により基準信号生成手段が生成する基準信号に基づいた搬送波成分を有するものを生成する送信信号生成手段と、を有するものである。
【００１２】
本発明に係る他の無線機は、上述した発明の構成に加えて、受信信号とローカル信号とが混合されることにより生成される混合信号あるいはその混合信号に基づく信号による電圧レベルを検出する電圧レベル検出手段を有する。そして、調整手段は、アンテナが所定の周波数の電波を受信しているときに電圧レベル検出手段により検出される電圧レベルが、所望の電圧レベルとなるように、発振電圧を調整する。
【００１３】
本発明に係る他の無線機は、上述した発明の構成に加えて、受信信号とローカル信号とが混合されることにより生成される混合信号に対してさらに別のローカル信号が混合された信号による電圧レベルを検出する電圧レベル検出手段を有する。そして、調整手段は、アンテナが所定の周波数の電波を受信しているときに電圧レベル検出手段により検出される電圧レベルが、アンテナが所定の周波数の電波を受信しているときの混合信号と同じ周波数の電波を受信しているときに電圧レベル検出手段により検出される電圧レベルとなるように、発振電圧を調整する。
【００１４】
本発明に係る他の無線機は、上述した発明の各構成に加えて、受信信号とローカル信号とを混合して混合信号を生成するミキサと、アンテナが所定の周波数の電波を受信しているときの混合信号と同じ周波数の電波を受信するときに、ミキサをバイパスして、アンテナが受信により生成する信号をミキサの後段へ供給するパイパススイッチと、を有するものである。
【００１５】
本発明に係る無線機の送信用基準信号の調整方法は、無線機の送信時に、発振電圧が指定されると、送信信号あるいはその搬送波成分を生成するための所定の周波数の基準信号を生成する基準信号生成手段を用いた送信用基準信号の調整方法であって、送信時に使用する基準信号生成手段を、受信信号と混合されるローカル信号とその基準信号との位相差を制御する位相比較手段に接続して、ローカル信号を生成するローカル信号生成手段、基準信号生成手段および位相比較手段からなるフェーズロッドループを構成し、無線機が所定の周波数の電波を受信しているときに受信信号とローカル信号とが混合されることにより生成される混合信号あるいはその混合信号に基づく信号による電圧レベルが、所望の電圧レベルとなるように、基準信号生成手段へ指示する発振電圧を調整するものである。
【００１６】
本発明に係る他の無線機の送信用基準信号の調整方法は、無線機の送信時に、発振電圧が指定されると、送信信号あるいはその搬送波成分を生成するための所定の周波数の基準信号を生成する基準信号生成手段を用いた送信用基準信号の調整方法であって、送信時に使用する基準信号生成手段を、受信信号と混合されるローカル信号とその基準信号との位相差を制御する位相比較手段に接続して、ローカル信号を生成するローカル信号生成手段、基準信号生成手段および位相比較手段からなるフェーズロッドループを構成し、無線機が所定の周波数の電波を受信しているときに受信信号とローカル信号とが混合されることにより生成される混合信号と同じ周波数の電波を受信している状態での、その混合信号あるいはその混合信号に基づく信号による電圧レベルを検出し、無線機が所定の周波数の電波を受信しているときの混合信号あるいはその混合信号に基づく信号による電圧レベルが、検出した電圧レベルとなるように、基準信号生成手段へ指示する発振電圧を調整するものである。
【発明の効果】
【００１７】
本発明では、無線機の内部温度が、調整をしたときの温度とは異なる温度であっても、送信信号の基準信号などの周波数が所定の変動範囲に収まっていることを保証することが可能である。
【発明を実施するための最良の形態】
【００１８】
以下、本発明の実施の形態に係る無線機およびその送信用基準信号の調整方法を、図面に基づいて説明する。無線機は、小型の無線機を例として説明する。無線機の送信用基準信号の調整方法は、この小型の無線機の調整モードの動作を例として説明する。
【００１９】
図１は、本発明の実施の形態に係る小型の無線機１のブロック図である。小型の無線機１には、たとえばハンディタイプのものがある。
【００２０】
図１の無線機１は、ダブルスーパーヘテロダイン方式の受信部を有する。ダブルスーパーヘテロダイン方式では、電波受信に基づくラジオ周波数信号ＲＦを第一ローカル信号ＬＯ１により第一中間周波数信号ＩＦ１へ変換し、さらに第二ローカル信号ＬＯ２により第二中間周波数信号ＩＦ２へ変換し、その第二中間周波数信号ＩＦ２を復調する。
【００２１】
無線機１は、無線機本体２を有する。無線機本体２は、アンテナ１１を有する。無線機１は、所定の周波数の搬送波を音声信号で変調して送信信号を生成し、生成した送信信号をアンテナ１１へ供給して電波を送出する。また、アンテナ１１は、受信電波に基づいて受信信号を生成する。
【００２２】
アンテナ１１には、ローパスフィルタ（以下、ＬＰＦと記載する。）１２が接続される。このＬＰＦ１２は、無線機１が送受信する電波の周波数より高い周波数成分の信号を減衰する。これにより、たとえば、無線機１内部で発生する高周波信号による電波が不要にアンテナ１１から放射されないようにすることができる。
【００２３】
ＬＰＦ１２には、アンテナスイッチ１３が接続される。アンテナスイッチ１３は、可動片を２つの接点の間で切り替えるものである。また、アンテナスイッチ１３は、可動片が一方の接点に接続される状態と、可動片が他方の接点に接続される状態と、可動片がどちらの接点にも接続されていない状態と、に制御することが可能である。ＬＰＦ１２は、このアンテナスイッチ１３の可動片に接続される。
【００２４】
アンテナスイッチ１３の一方の接点には、アンテナ１１が受信した電波に基づいて、音声信号を復調する回路が接続される。具体的には、アンテナスイッチ１３の一方の接点には、高周波増幅部１４が接続される。高周波増幅部１４は、たとえば第一高周波バンドパスフィルタ（以下、ＢＰＦと記載する。）３１と、高周波受信アンプ３２と、第二高周波ＢＰＦ３３と、で構成される。アンテナスイッチ１３の一方の接点は、第一高周波ＢＰＦ３１の入力へ接続される。第一高周波ＢＰＦ３１は、アンテナスイッチ１３から入力される信号から、所定の高周波帯域の信号成分を抽出する。高周波受信アンプ３２は、第一高周波ＢＰＦ３１が抽出した信号を増幅する。第二高周波ＢＰＦ３３は、高周波受信アンプ３２により増幅された信号から、所定の高周波帯域の信号成分を抽出する。第二高周波ＢＰＦ３３が抽出する帯域と、第一高周波ＢＰＦ３１が抽出する帯域とは、略一致していればよい。これにより、高周波増幅部１４は、アンテナスイッチ１３から第一高周波ＢＰＦ３１に入力される信号から、所定の高周波帯域の信号成分を抽出し、その信号成分を有するラジオ周波数信号ＲＦを生成する。
【００２５】
高周波増幅部１４の第二高周波ＢＰＦ３３の出力には、ミキサとしての第一ミキサ１５が接続される。第一ミキサ１５は、それに入力される２つの信号を乗算により混合する。第二高周波ＢＰＦ３３は、第一ミキサ１５へラジオ周波数信号ＲＦを出力する。なお、第一ミキサ１５には、後述する受信用ＶＣＯ回路２４から第一ローカル信号ＬＯ１が入力される。第一ミキサ１５は、第一中間周波数信号ＩＦ１を生成する。
【００２６】
第一ミキサ１５の出力には、ミキサの後段の回路としての第一中間周波数増幅部１６が接続される。第一中間周波数増幅部１６は、たとえば第一中間ＢＰＦ４１と、第一中間アンプ４２と、で構成される。第一ミキサ１５は、第一中間ＢＰＦ４１へ第一中間周波数信号ＩＦ１を出力する。第一中間ＢＰＦ４１は、入力される信号から、所定の中間周波数帯域の信号成分を抽出する。第一中間アンプ４２は、第一中間ＢＰＦ４１が抽出した信号を増幅する。これにより、第一中間周波数増幅部１６は、第一ミキサ１５から第一中間ＢＰＦ４１へ入力される第一中間周波数信号ＩＦ１から、所定の中間周波数帯域の信号成分を抽出する。第一中間周波数増幅部１６は、その信号成分を有する増幅後第一中間周波数信号ＩＦ１’を生成する。
【００２７】
第一中間周波数増幅部１６の第一中間アンプ４２の出力には、第二ミキサ１７が接続される。第二ミキサ１７は、それに入力される２つの信号を乗算により混合する。第一中間アンプ４２は、第二ミキサ１７へ増幅後第一中間周波数信号ＩＦ１’を出力する。なお、第二ミキサ１７には、後述する固定発振回路から第二ローカル信号ＬＯ２が入力される。第二ミキサ１７は、第二中間周波数信号ＩＦ２を生成する。
【００２８】
第二ミキサ１７の出力には、第二中間周波数増幅部１８が接続される。第二中間周波数増幅部１８は、たとえば第二中間ＢＰＦ５１と、第二中間アンプ５２と、で構成される。第二中間周波数増幅部１８は、さらに第三中間ＢＰＦや第三中間アンプなどを有する構成であってもよい。第二ミキサ１７は、第二中間ＢＰＦ５１へ第二中間周波数信号ＩＦ２を出力する。第二中間ＢＰＦ５１は、入力される信号から、所定の低めの中間周波数の帯域の信号成分を抽出する。第二中間アンプ５２は、第二中間ＢＰＦ５１が抽出により生成する信号を増幅する。これにより、第二中間周波数増幅部１８は、第一中間周波数増幅部１６から第二中間ＢＰＦ５１へ入力される信号から、所定の低めの中間周波数の帯域の信号成分を抽出し、その信号成分を有する信号を生成する。
【００２９】
第二中間周波数増幅部１８の第二中間アンプ５２の出力には、電圧レベル検出手段としてのＤＳＰ（Ｄｉｇｉｔａｌ  Ｓｉｇｎａｌ  Ｐｒｏｃｅｓｓｏｒ）１９が接続される。第二中間周波数増幅部１８は、ＤＳＰ１９へ生成した信号を出力する。
【００３０】
ＤＳＰ１９には、第二中間アンプ５２の他にも、図示外のアンプを介してスピーカ２０が接続され、図示外のアンプを介してマイク２１が接続され、送信用ＶＣＯ（Ｖｏｌｔａｇｅ  Ｃｏｎｔｒｏｌｌｅｄ  Ｏｓｃｉｌｌａｔｏｒ）回路２２が接続される。ＤＳＰ１９は、第二中間アンプ５２から入力される信号を検波する。ＤＳＰ１９は、検波によって得られた音声信号をスピーカ２０へ出力する。また、ＤＳＰ１９には、マイク２１からの音声信号がアンプを介して入力される。ＤＳＰ１９は、入力される音声信号をフィルタリング処理し、変調信号として出力する。ＤＳＰ１９は、フィルタ処理した信号（変調信号）を、送信信号生成手段としての送信用ＶＣＯ回路２２へ出力する。
【００３１】
送信用ＶＣＯ回路２２は、それに入力される電圧に応じた周波数の送信信号を出力する。送信用ＶＣＯ回路２２は、ＤＳＰ１９から供給される変調信号などにより入力電圧が変化すると、その変化にしたがって送信信号の周波数を変化させる。
【００３２】
送信用ＶＣＯ回路２２の出力には、高周波送信アンプ２３が接続される。高周波送信アンプ２３は、送信用ＶＣＯ回路２２が生成した送信信号を増幅する。なお、高周波送信アンプ２３は、２段以上の多段構成とされていてもよい。
【００３３】
高周波送信アンプ２３の出力には、アンテナスイッチ１３の他方の接点が接続される。
【００３４】
無線機本体２は、上述した構成要素の他にも、ローカル信号生成手段としての受信用ＶＣＯ回路２４と、周波数調整部２５と、固定水晶発振回路２６と、パイパススイッチとしての調整スイッチ２７と、を有する。
【００３５】
受信用ＶＣＯ回路２４は、それに入力される電圧に応じた周波数の第一ローカル信号ＬＯ１を出力する。受信用ＶＣＯ回路２４は、入力電圧が変化すると、その変化にしたがって第一ローカル信号ＬＯ１の周波数を変化させる。受信用ＶＣＯ回路２４は、第一ミキサ１５へ第一ローカル信号ＬＯ１を出力する。
【００３６】
周波数調整部２５は、基準信号生成手段としての電圧制御発振回路２８と、位相比較手段としての位相比較回路２９と、を有する。
【００３７】
電圧制御発振回路２８は、たとえば電圧制御水晶発振器により構成され、印加される電圧に応じた周波数の基準信号を生成する。電圧制御発振回路２８は、生成した基準信号を位相比較回路２９へ出力する。位相比較回路２９は、入力される２つの信号の位相差に応じてレベルが変化する電圧を出力する。なお、電圧制御発振回路２８は、温度による周波数変動を抑える温度補償機能を有するものであってもよい。
【００３８】
周波数調整部２５は、送信用ＶＣＯ回路２２および受信用ＶＣＯ回路２４に接続される。周波数調整部２５は、送信および受信に共通に使用される。周波数調整部２５は、具体的には、その位相比較回路２９が、送信用ＶＣＯ回路２２および受信用ＶＣＯ回路２４へ電圧を出力する。また、送信用ＶＣＯ回路２２および受信用ＶＣＯ回路２４は、生成した第一ローカル信号ＬＯ１あるいは送信信号を、位相比較回路２９へ出力する。
【００３９】
これにより、無線機本体２には、２つのＰＬＬ（Ｐｈａｓｅ  Ｌｏｃｋｅｄ  Ｌｏｏｐ）回路が構成される。電圧制御発振回路２８、位相比較回路２９および送信用ＶＣＯ回路２２で構成される送信用ＰＬＬ回路と、電圧制御発振回路２８、位相比較回路２９および受信用ＶＣＯ回路２４で構成される受信用ＰＬＬ回路とである。
【００４０】
位相比較回路２９は、電圧制御発振回路２８が生成する基準信号と、送信用ＶＣＯ回路２２が生成する送信信号との位相差に応じた電圧レベルを出力する。送信用ＶＣＯ回路２２は、この電圧レベルに応じた周波数の信号を出力する。この制御により、送信用ＶＣＯ回路２２は、ＤＳＰ１９からの入力がない場合には、電圧制御発振回路２８が生成する基準信号と位相が同期する所定の周波数の送信信号を生成し、出力する。
【００４１】
また、位相比較回路２９は、基準信号と受信用ＶＣＯ回路２４が生成する第一ローカル信号ＬＯ１との位相差に応じた電圧レベルを出力する。受信用ＶＣＯ回路２４は、この電圧レベルに応じた周波数の信号を出力する。この制御により、受信用ＶＣＯ回路２４は、電圧制御発振回路２８が生成する基準信号と位相が同期する所定の周波数の第一ローカル信号ＬＯ１を生成し、出力する。
【００４２】
固定水晶発振回路２６は、所定の周波数の第二ローカル信号ＬＯ２を生成する。固定水晶発振回路２６は、第二ローカル信号ＬＯ２を第二ミキサ１７へ出力する。
【００４３】
調整スイッチ２７は、可動片を１つの接点に接離するものである。調整スイッチ２７は、可動片が接点に接続される閉状態と、可動片が接点に接続されない開状態とに制御することが可能である。調整スイッチ２７は、ＬＰＦ１２（とアンテナスイッチ１３との間）と、第一中間ＢＰＦ４１（と第一ミキサ１５）との間に接続される。調整スイッチ２７が閉じると、ＬＰＦ１２と第一中間ＢＰＦ４１とが接続される。
【００４４】
無線機１は、以上の構成を有する無線機本体２の他に、操作部３、調整手段および指定手段としての制御部４、記憶手段としてのメモリ５などを有する。
【００４５】
操作部３は、たとえば図示外のモード切替ボタンなどを有する。操作部３は、ボタンが操作されると、その操作されたボタンに応じた入力データを、制御部４へ出力する。無線機１の動作モードには、音声の送受信をする運用モード、各種の設定処理を行う設定モードなどがある。
【００４６】
メモリ５は、制御部４が使用する各種のデータなどを記憶する。制御部４が使用するデータとしては、たとえばＤＳＰ検出電圧６、発振電圧７などがある。ＤＳＰ検出電圧は、第二中間周波数増幅部１８の第二中間アンプ５２から、ＤＳＰ１９へ入力される電圧である。発振電圧は、電圧制御発振回路２８に指定する電圧である。なお、メモリ５は、発振電圧７の代わりに、電圧制御発振回路２８に発振させたい周波数そのものを記憶するようにしてもよい。
【００４７】
制御部４は、無線機本体２の動作を制御する。たとえば、制御部４は、無線機本体２のアンテナスイッチ１３や調整スイッチ２７へ制御信号を出力する。制御部４は、電圧制御発振回路２８へ発振電圧を指示する。制御部４は、送信用ＶＣＯ回路２２、受信用ＶＣＯ回路２４などへ起動を指示する。制御部４は、ＤＳＰ１９から各種のデータを読み込み、ＤＳＰ１９へ各種のデータを書き込む。
【００４８】
なお、制御部４は、たとえばメモリ５などに記憶された図示外の制御プログラムを、図示外のＣＰＵ（Ｃｅｎｔｒａｌ  Ｐｒｏｃｅｓｓｉｎｇ  Ｕｎｉｔ：中央処理装置）が実行することで実現される。この制御プログラムは、無線機１の出荷前にメモリ５などに記憶されたものであっても、無線機１の出荷後にメモリ５などに記憶されたものであってもよい。無線機１の出荷後にメモリ５などに記憶される制御プログラムは、たとえばＣＤ−ＲＯＭなどのコンピュータ読み取り可能な記録媒体に記録されてユーザへ供給されたものであっても、インターネットなどの通信媒体を介してユーザへ供給されたものであってもよい。また、制御プログラムの一部のみが、無線機１の出荷後にメモリ５などに記憶されたものであってもよい。
【００４９】
次に、以上の構成を有する無線機１の動作を説明する。無線機１の動作モードには、音声の送受信をする運用モード、各種の設定処理を行う設定モードなどがある。この順番で動作を説明する。
【００５０】
操作部３から運用モードに対応する入力データが入力されると、制御部４は、無線機本体２を運用モード（受信状態）に設定する。制御部４は、具体的にはたとえば、アンテナスイッチ１３の可動片を一方の接点に接続し、調整スイッチ２７の可動片を接点から離し、電圧制御発振回路２８にメモリ５に記憶されている発振電圧７を指示し、受信用ＶＣＯ回路２４へ起動を指示する。この制御により、ＬＰＦ１２は、アンテナスイッチ１３を介して高周波増幅部１４に接続される。
【００５１】
また、電圧制御発振回路２８と、受信用ＶＣＯ回路２４と、位相比較回路２９とにより構成される受信用ＰＬＬ回路が動作する。電圧制御発振回路２８は、制御部４により指示された発振電圧７で動作し、その発振電圧７に応じた周波数の基準信号を出力する。位相比較回路２９は、この基準信号の位相と、受信用ＶＣＯ回路２４が生成する信号の位相との位相差が無くなるように、受信用ＶＣＯ回路２４へ出力する電圧を制御する。その結果、受信用ＶＣＯ回路２４は、基準信号の周波数をｎ倍あるいは１／ｎ倍（ｎは自然数）した周波数の第一ローカル信号ＬＯ１を、第一ミキサ１５へ出力する。
【００５２】
この制御状況下でアンテナ１１が電波を受信すると、アンテナ１１は、受信電波と同じ周波数成分を有する信号を生成する。ＬＰＦ１２は、アンテナ１１が生成する信号から、無線機１が送受信する電波の周波数より高い周波数成分を減衰する。ＬＰＦ１２は、高い周波数成分を減衰させた信号を、高周波増幅部１４へ出力する。高周波増幅部１４は、ＬＰＦ１２から入力されるこの信号から、所定の高周波帯域の信号成分を抽出する。高周波増幅部１４は、第一ミキサ１５へラジオ周波数信号ＲＦを出力する。
【００５３】
第一ミキサ１５は、ラジオ周波数信号ＲＦと、第一ローカル信号ＬＯ１とを乗算する。第一ミキサ１５は、乗算処理により得られる第一中間周波数信号ＩＦ１を、第一中間周波数増幅部１６へ出力する。ラジオ周波数信号ＲＦの周波数成分がＲＦ１であり、第一ローカル信号ＬＯ１の周波数成分がｆｌ１であり、ロアーヘテロダインの条件が成立する場合、第一ミキサ１５は、第一中間周波数信号ＩＦ１の周波数成分は、「ＲＦ１−ｆｌ１」となる。第一中間周波数信号ＩＦ１の周波数成分は、ラジオ周波数信号ＲＦの周波数成分ＲＦ１より周波数が低くなる。第一ミキサ１５は、生成した第一中間周波数信号ＩＦ１を、第一中間周波数増幅部１６へ出力する。
【００５４】
第一中間周波数増幅部１６は、第一ミキサ１５から供給される第一中間周波数信号ＩＦ１から、所定の中間周波数帯域の信号成分を抽出した信号を生成する。第一中間周波数増幅部１６は、増幅後第一中間周波数信号ＩＦ１’を第二ミキサ１７へ出力する。
【００５５】
第二ミキサ１７には、この増幅後第一中間周波数信号ＩＦ１’のほかにも、固定水晶発振回路２６が生成する第二ローカル信号ＬＯ２が供給される。第二ミキサ１７は、増幅後第一中間周波数信号ＩＦ１’と第二ローカル信号ＬＯ２とを乗算する。第二ミキサ１７は、この乗算処理により得られる第二中間周波数信号ＩＦ２を、第二中間周波数増幅部１８へ出力する。
【００５６】
増幅後第一中間周波数信号の周波数成分がＩＦ１’であり、固定水晶発振回路２６が生成する第二ローカル信号ＬＯ２の周波数成分がｘ２であり、ロアーヘテロダインの条件が成立する場合、第二中間周波数信号ＩＦ２の周波数成分は、「ＩＦ１’−ｘ２」となる。第二中間周波数信号ＩＦ２の周波数成分は、増幅後第一中間周波数信号ＩＦ１’の周波数成分より周波数が低くなる。
【００５７】
第二ミキサ１７は、生成した第二中間周波数信号ＩＦ２を第二中間周波数増幅部１８へ出力する。第二中間周波数増幅部１８は、第二中間周波数信号ＩＦ２から、所定の中間周波数帯域の信号成分を抽出する。第二中間周波数増幅部１８は、抽出により生成した信号をＤＳＰ１９へ供給する。ＤＳＰ１９は、第二中間周波数増幅部１８から供給される信号を検波する。ＤＳＰ１９は、検波により得られた音声信号をスピーカ２０へ出力する。
【００５８】
これにより、無線機１のスピーカ２０からは、アンテナ１１が受信した電波により搬送される音声信号に基づく音声が出力される。
【００５９】
無線機本体２を運用モード（受信状態）に設定している状態で、操作部３のたとえば図示外のトークボタンが操作されると、制御部４は、操作部３から供給される入力データに基づいて、無線機本体２を送信状態に切り替える。
【００６０】
具体的にはたとえば、制御部４は、アンテナスイッチ１３の可動片を他方の接点に接続し、受信用ＶＣＯ回路２４へ停止を指示し、送信用ＶＣＯ回路２２および高周波送信アンプ２３に起動を指示する。なお、電圧制御発振回路２８には、運用モード（受信状態）へ制御された時点で、メモリ５に記憶される発振電圧７が指示されている。この制御により、高周波送信アンプ２３は、アンテナスイッチ１３を介してＬＰＦ１２へ接続される。また、電圧制御発振回路２８と、送信用ＶＣＯ回路２２と、位相比較回路２９とにより構成される送信用ＰＬＬ回路が動作する。送信用ＶＣＯ回路２２は、電圧制御発振回路２８がメモリ５に記憶される発振電圧７に基づいて生成する基準信号の周波数をｎ倍あるいは１／ｎ倍（ｎは自然数）した周波数の送信信号を生成する。送信用ＶＣＯ回路２２は、生成した送信信号を、高周波送信アンプ２３へ出力する。
【００６１】
この制御状況下で無線機１を所持するユーザがマイク２１に向かって声を出すと、マイク２１は、ＤＳＰ１９へ音声信号を出力する。ＤＳＰ１９は、アンプを介して入力される音声信号をフィルタリング処理する。ＤＳＰ１９は、フィルタリング処理した変調信号を、送信用ＶＣＯ回路２２へ出力する。
【００６２】
送信用ＶＣＯ回路２２には、位相比較回路２９からの所定のレベルの電圧と、ＤＳＰ１９からの変調信号の電圧とが入力される。送信用ＶＣＯ回路２２は、電圧制御発振回路２８から供給される信号を中心周波数とする信号を出力しており、ＤＳＰ１９から供給される変調信号などにより入力電圧が変化すると、その変化にしたがって送信信号の周波数を変化させる。送信用ＶＣＯ回路２２は、変調信号により周波数が変調された送信信号を生成し、高周波送信アンプ２３へ出力する。
【００６３】
高周波送信アンプ２３は、送信用ＶＣＯ回路２２から供給される送信信号を電力増幅する。ＬＰＦ１２は、高周波送信アンプ２３により増幅された送信信号から、無線機１が送受信する電波の周波数より高い周波数成分の信号を減衰し、アンテナ１１へ供給する。アンテナ１１は、供給された信号により、電波を送信する。
【００６４】
以上のように、無線機１は、運用モード（受信状態）において、他の無線機が送信した電波を受信し、その受信電波により搬送される音声をスピーカ２０から出力することができる。また、無線機１は、送信状態において、マイク２１に入力された音声を搬送する電波をアンテナ１１から送信することができる。無線機１は、他の無線機との間で、無線により通話することができる。
【００６５】
次に、設定モードについて説明する。操作部３から設定モードに対応する入力データが入力されると、制御部４は、無線機本体２を設定モードに設定する。
【００６６】
図２は、図１中の制御部４が設定モードにおいて実行する処理の流れを示すフローチャートである。設定モードにおいて制御部４は、まず、アンテナスイッチ１３の可動片がどちらの接点にも接続されていない状態に制御し、調整スイッチ２７の可動片を接点に接続する。また、設定動作に関係ない回路、すなわち送信用ＶＣＯ回路２２、高周波送信アンプ２３などの動作を停止して発熱を抑える（ステップＳＴ１）。この状態は、図１に示す制御状態である。この接続では、アンテナ１１が受信電波に基づいて出力する受信信号は、ＬＰＦ１２、調整スイッチ２７を介して、第一中間周波数増幅部１６へ入力される。第一中間周波数増幅部１６には、第一ミキサ１５からの第一中間周波数信号ＩＦ１が入力されない。
【００６７】
この制御状態でアンテナ１１は、第一ミキサ１５が生成する中間周波数と略同じ周波数を有する所定の電波を受信する。アンテナ１１が受信により生成する中間周波数を有する信号は、第一中間周波数増幅部１６に入力される。第一中間周波数増幅部１６は、調整スイッチ２７から供給される信号から、所定の中間周波数の信号成分を抽出し、第二ミキサ１７へ供給する。
【００６８】
第二ミキサ１７は、第一中間周波数増幅部１６から供給される信号と、固定水晶発振回路２６が生成する第二ローカル信号ＬＯ２とを乗算し、第二中間周波数増幅部１８へ供給する。第二中間周波数増幅部１８は、第二ミキサ１７から供給される信号から、所定の中間周波数帯域の信号成分を抽出する。第二中間周波数増幅部１８は、抽出により生成した信号をＤＳＰ１９へ供給する。ＤＳＰ１９は、第二中間周波数増幅部１８から供給される信号を検波する。
【００６９】
アンテナスイッチ１３および調整スイッチ２７を設定モードにおける状態に制御した制御部４は、ＤＳＰ１９を監視する。制御部４は、ＤＳＰ１９が第二中間周波数増幅部１８から供給される信号を検波したことを知ると、ＤＳＰ１９からＤＳＰ検出電圧を取得する（ステップＳＴ２）。なお、ＤＳＰ１９は、検波したら、その検波した電圧を自発的に制御部４へ通知するようにしてもよい。制御部４は、ＤＳＰ１９から取得したＤＳＰ検出電圧を、メモリ５に保存する（ステップＳＴ３）。
【００７０】
これにより、メモリ５には、ＤＳＰ検出電圧６が記憶される。このＤＳＰ検出電圧６は、アンテナ１１が受信した所定の中間周波数の電波に基づく信号と、固定水晶発振回路２６が生成する第二ローカル信号とを乗算により混合したときの値を有する。
【００７１】
ＤＳＰ検出電圧６をメモリ５に保存した後、制御部４は、アンテナスイッチ１３の可動片を一方の接点に接続し、調整スイッチ２７の可動片を接点から離し、電圧制御発振回路２８に、メモリ５に記憶される発振電圧７を指示し、受信用ＶＣＯ回路２４へ起動を指示する（ステップＳＴ４）。
【００７２】
この制御状態でアンテナ１１は、無線機１が受信する所定の周波数の電波を受信する。アンテナ１１が受信により生成する信号は、アンテナスイッチ１３を介して高周波増幅部１４に入力される。高周波増幅部１４は、アンテナスイッチ１３を介して供給される信号から、所定の高周波帯域の信号成分を抽出する。高周波増幅部１４は、抽出により生成したラジオ周波数信号ＲＦを、第一ミキサ１５へ出力する。
【００７３】
電圧制御発振回路２８は、メモリ５に記憶される発振電圧７に対応する周波数の基準信号を出力する。受信用ＶＣＯ回路２４は、この基準信号の周波数をｎ倍あるいは１／ｎ倍（ｎは自然数）した周波数の第一ローカル信号ＬＯ１を生成する。受信用ＶＣＯ回路２４は、第一ローカル信号ＬＯ１を、第一ミキサ１５へ出力する。第一ミキサ１５は、ラジオ周波数信号ＲＦと第一ローカル信号ＬＯ１とを乗算し、第一中間周波数信号ＩＦ１を生成する。第一ミキサ１５は、生成した第一中間周波数信号ＩＦ１を第一中間周波数増幅部１６へ出力する。
【００７４】
第一中間周波数増幅部１６は、第一中間周波数信号ＩＦ１から、所定の中間周波数帯域の信号成分を抽出する。第二ミキサ１７は、この信号と、固定水晶発振回路２６が生成する第二ローカル信号ＬＯ２とを乗算し、第二中間周波数増幅部１８へ供給する。第二中間周波数増幅部１８は、第二ミキサ１７から供給される第二中間周波数信号ＩＦ２から、所定の中間周波数帯域の信号成分を抽出する。第二中間周波数増幅部１８は、抽出により生成した信号を、ＤＳＰ１９へ供給する。ＤＳＰ１９は、第二中間周波数増幅部１８から供給される信号を検波する。
【００７５】
設定モードにおいて無線機１を、所定の受信周波数の電波を受信する状態に設定した制御部４は、ＤＳＰ１９を監視する。制御部４は、ＤＳＰ１９が第二中間周波数増幅部１８からの信号を検波したことを知ると、ＤＳＰ１９から、ＤＳＰ検出電圧を取得する（ステップＳＴ５）。なお、ＤＳＰ１９は、検波したら、その検波した電圧を自発的に制御部４へ通知するようにしてもよい。
【００７６】
ＤＳＰ検出電圧を取得すると、制御部４は、取得したＤＳＰ検出電圧と、メモリ５に記憶されているＤＳＰ検出電圧６とを比較する（ステップＳＴ６）。そして、これらの電圧が一致しない場合、制御部４は、電圧制御発振回路２８の発振周波数を調整する（ステップＳＴ７）。具体的には、制御部４は、取得したＤＳＰ検出電圧と、メモリ５に記憶されているＤＳＰ検出電圧６との差が無くなるように、電圧制御発振回路２８に指定する発振電圧を増減する。制御部４は、たとえば、メモリ５に記憶されているＤＳＰ検出電圧６から取得したＤＳＰ検出電圧を減算し、その演算結果に対応する電圧を、電圧制御発振回路２８に指定している発振電圧に加算する。
【００７７】
電圧制御発振回路２８が生成する基準信号の周波数は、指定される発振電圧が変化すると、増減する。位相比較器は、受信用ＶＣＯ回路２４が生成する第一ローカル信号ＬＯ１の位相が、この増減された基準信号の位相と一致するように、受信用ＶＣＯ回路２４へ出力する電圧レベルを制御する。受信用ＶＣＯ回路２４は、増減した基準信号をｎ倍あるいは１／ｎ倍（ｎは自然数）した周波数の第一ローカル信号ＬＯ１を、第一ミキサ１５へ出力する。その結果、第一ミキサ１５から出力される第一中間周波数信号ＩＦ１の周波数が変化し、ひいてはＤＳＰ１９により検出される電圧レベルが変化する。
【００７８】
電圧制御発振回路２８に指定する発振電圧を増減した制御部４は、再び、ＤＳＰ１９からＤＳＰ検出電圧を取得する。制御部４は、取得するＤＳＰ検出電圧が、メモリ５に記憶されているＤＳＰ検出電圧と一致するようになるまで、電圧制御発振回路２８に指定する発振電圧を調整する。制御部４は、発振電圧を繰り返し調整する。
【００７９】
なお、ＤＳＰ１９から取得するＤＳＰ検出電圧と、メモリ５に記憶されているＤＳＰ検出電圧６とは完全に一致するのが望ましいが、制御部４は、それらの差が所定の値以下になったら、これらの電圧が一致したと判断するようにしてもよい。
【００８０】
ＤＳＰ１９から取得するＤＳＰ検出電圧がメモリ５に記憶されているＤＳＰ検出電圧６と一致したと判断すると、制御部４は、その時点で電圧制御発振回路２８に指定している発振電圧を、メモリ５に書き込む。メモリ５に記憶される発振電圧７は、新たな値に更新される（ステップＳＴ８）。
【００８１】
以上の調整モードによる調整処理により、この実施の形態に係る無線機１のメモリ５に記憶されるＤＳＰ検出電圧６および発振電圧７は更新される。具体的には、たとえば以下のように更新される。
【００８２】
たとえば無線機１が４５０ＭＨｚの周波数の電波ＲＦ１を受信したときに、第一ミキサ１５から出力される第一中間周波数信号ＩＦ１の周波数が５９．８５ＭＨｚとなり、第二ミキサ１７から出力される第二中間周波数信号ＩＦ２の周波数が４５６ｋＨｚとなることが望ましい受信機の場合において、固定水晶発振回路２６の出力周波数ｘ２（すなわち、第二ローカル信号ＬＯ２の周波数）が５９．３９４ＭＨｚであるとき、受信用ＶＣＯ回路２４が出力する第一ローカル信号ＬＯ１の周波数ｆｌ１は、以下の式１のように設定される。受信用ＶＣＯ回路２４が式１の周波数の第一ローカル信号ＬＯ１を生成するように、電圧制御発振回路２８の発振電圧７は調整される。
【００８３】
ｆｌ１  ＝ＲＦ１−ｘ２−ＩＦ２
＝４５０ＭＨｚ−５９．３９４ＭＨｚ−４５６ｋＨｚ
＝３９０．１５ＭＨｚ  ・・・式１
【００８４】
なお、この式１並びに以下に示す式２および式３は、受信用ＶＣＯ回路２４が出力する第一ローカル信号ＬＯ１の周波数が、高周波増幅部１４が出力するラジオ周波数信号ＲＦの周波数よりも低く、且つ、固定水晶発振回路２６が出力する第二ローカル信号ＬＯ２の周波数が、第一中間周波数増幅部１６が出力する増幅後第二中間周波数信号ＩＦ２’の周波数よりも低く、その結果、ロアーヘテロダインの条件が成立する場合での式である。
【００８５】
また、固定水晶発振回路２６が出力する第二ローカル信号ＬＯ２の出力周波数ｘ２が、素子ばらつきなどにより５９．３９４ＭＨｚより１ｋＨｚ小さいものである場合、受信用ＶＣＯ回路２４が出力する第一ローカル信号ＬＯ１の周波数ｆｌ１は、たとえば以下の式２のように設定される。受信用ＶＣＯ回路２４が式２の周波数の信号を生成するように、電圧制御発振回路２８の発振電圧７は調整される。
【００８６】
ｆｌ１  ＝ＲＦ１−ｘ２−ＩＦ２
＝４５０ＭＨｚ−５９．３９３ＭＨｚ−４５６ｋＨｚ
＝３９０．１５１ＭＨｚ  ・・・式２
【００８７】
このような調整では、固定水晶発振回路２６の出力周波数ｘ２が素子ばらつきなどにより５９．３９４ＭＨｚからずれていたとしても、そのずれをキャンセルして、第二ミキサ１７から出力される第二中間周波数信号ＩＦ２の周波数を４５６ｋＨｚに調整することができる。無線機１が４５０ＭＨｚの周波数の電波を受信したとき、第二ミキサ１７から４５６ｋＨｚの周波数の第二中間周波数信号ＩＦ２を出力させることができる。ＤＳＰ１９には、固定水晶発振回路２６の素子ばらつきなどに関係なく、４５６ｋＨｚの周波数に対応する電圧レベルが安定的に入力される。
【００８８】
この実施の形態では、実際には、制御部４は、図２に示すように、受信状態での電圧制御発振回路２８の調整において、まず、無線機１に、第一ミキサ１５が生成する第一中間周波数信号ＩＦ１と略同じ周波数を有する所定の電波を受信させて、そのときのＤＳＰ検出電圧６を測定する。次に、制御部４は、無線機１に、無線機１が受信する所定の周波数の電波を受信させ、そのときのＤＳＰ検出電圧が先に測定したＤＳＰ検出電圧６と一致するように調整する。
【００８９】
固定水晶発振回路２６の出力周波数ｘ２が、素子ばらつきなどにより５９．３９４ＭＨｚよりたとえば１ｋＨｚ小さい場合、第一ミキサ１５が生成する中間周波数ＩＦ１と略同じ周波数を有する所定の電波を無線機１に受信するときのＤＳＰ検出電圧６は、１ｋＨｚ大きい４５７ｋＨｚとなる。
【００９０】
そして、その無線機１が受信する所定の受信周波数の電波を受信するときのＤＳＰ検出電圧は、この１ｋＨｚ大きい４５７ｋＨｚとなるように調整される。たとえば４５０ＭＨｚの周波数の電波ＲＦ１を受信したときに、第二ミキサ１７から出力される第二中間周波数信号ＩＦ２の周波数が４５７ｋＨｚとなるように調整される。その結果、受信用ＶＣＯ回路２４が出力する第一ローカル信号ＬＯ１の周波数ｆｌ１は、以下の式３のようになる。
【００９１】
ｆｌ１  ＝ＲＦ１−ｘ２−ＩＦ２
＝４５０ＭＨｚ−５９．３９３ＭＨｚ−４５７ｋＨｚ
＝３９０．１５ＭＨｚ  ・・・式３
【００９２】
式３により得られる第一ローカル信号ＬＯ１の周波数の値は、式１と同じ値である。したがって、電圧制御発振回路２８へ指示される発振電圧７は、固定水晶発振回路２６の素子ばらつきが無い場合と同じ値に調整される。発振電圧７は、固定水晶発振回路２６の素子ばらつきに影響されることなく一定の値となる。発振電圧７は、固定水晶発振回路２６の偏差が無いものとして調整される。第一ローカル信号ＬＯ１の周波数は、固定水晶発振回路２６の偏差に影響されることなく一定の値となる。
【００９３】
そして、この実施の形態の無線機１では、この受信状態での調整処理により更新される発振電圧７が、無線機１が音声を送信するときにも、電圧制御発振回路２８へ指示される。
【００９４】
電圧制御発振回路２８は、常温において所望の周波数を出力するように調整された場合、その電圧制御発振回路２８の使用環境温度がたとえば−３０〜＋６０度の温度範囲で変化するとき、その発振周波数がたとえばプラスマイナス０．９ｐｐｍの変動に収まることが保証されている。逆に、常温以外の温度において周波数が調整された場合、その発振周波数の温度による変動幅は、保証されていない。
【００９５】
受信動作時の無線機１内の発熱は、少ない。そのため、受信動作時の電圧制御発振回路２８の使用環境温度は、略常温である。したがって、送信時に使用する電圧制御発振回路２８を、受信動作において調整することで、電圧制御発振回路２８を常温において調整することができる。
【００９６】
その結果、このように常温環境下で調整することで、たとえばその受信動作での調整により電圧制御発振回路２８の発振周波数がプラスマイナス０．１ｐｐｍの範囲でずれるものであるとしたら、電圧制御発振回路２８の発振周波数の変動幅は、たとえば−３０〜＋６０度の温度範囲においてプラスマイナス１．０（＝０．１＋０．９）ｐｐｍに収まることになる。調整後の電圧制御発振回路２８の発振周波数の温度変動幅は、プラスマイナス１．０ｐｐｍに保証することができる。送信時あるいは受信時に関係なく、調整後の電圧制御発振回路２８の発振周波数の温度変動幅は、プラスマイナス１．０ｐｐｍに保証される。
【００９７】
これに対して、送信動作時の無線機１内の温度は、発熱が多い。電波を出力するために、高周波送信アンプ２３などが大きな電力を消費する。送信動作時の電圧制御発振回路２８の使用環境温度は、常温より必ず高い温度となってしまう。近年、無線機１の小型化が進み、無線機１の内部空間が狭くなり、この送信時の無線機１内の温度は高くなる傾向にある。しかも、無線機１内の温度は、比較的短時間で上昇してしまう傾向にある。
【００９８】
そのため、従来の無線機１のように、送信時に、送信用ＶＣＯ回路２２の出力などの送信用出力を周波数カウンタなどでモニタし、そのカウント値に基づいて電圧制御発振回路２８への指示電圧を調整した場合、その調整時の電圧制御発振回路２８の使用環境温度は、常温とはならない。その結果、電圧制御発振回路２８の温度変化による発振周波数の変動幅は、保証されなくなってしまう。調整により電圧制御発振回路２８の発振周波数を精度良く調整したとしても、−３０〜＋６０度の温度範囲においてプラスマイナス１．０ｐｐｍに収まることを保証することができない。調整した状況によっては、電圧制御発振回路２８の発振周波数は、たとえば−３０〜＋６０度の温度範囲において、プラスマイナス１．０ｐｐｍ以上に変動してしまう可能性が残ってしまう。
【００９９】
以上の実施の形態は、本発明の好適な実施の形態の例であるが、本発明は、これに限定されるものではなく、発明の要旨を逸脱しない範囲において種々の変形、変更が可能である。
【０１００】
たとえば上記実施の形態では、ＬＰＦ１２と第一中間ＢＰＦ４１との間に調整スイッチ２７を設けるとともに、受信状態での調整時において第一ミキサ１５が生成する第一中間周波数信号ＩＦ１と略同じ周波数を有する所定の電波を無線機１に受信させるときに、この調整スイッチ２７を閉じている。この他にもたとえば、この調整スイッチ２７を設けることなくアンテナスイッチ１３の可動片を他方の端子に接続し、無線機１に、第一中間周波数信号ＩＦ１と略同じ周波数を有する所定の電波を受信させるようにしてもよい。この変形例であっても、第一中間周波数増幅部１６へ、第一中間周波数信号ＩＦ１と略同じ周波数を有する所定の信号を入力することが可能である。
【０１０１】
ただし、この変形例の場合、第一ミキサ１５により生成される第一中間周波数信号ＩＦ１と略同じ周波数を有する電波による信号は、高周波増幅部１４の第一高周波ＢＰＦ３１などにより大きく減衰されてしまう。したがって、アンテナ１１に対して、大きな振幅およびエネルギーを有する電波を与えるようにしなければならない。
【０１０２】
上記実施の形態では、調整スイッチ２７は、アンテナスイッチ１３とは別体に設けられている。この他にもたとえば、アンテナスイッチ１３の接点数を２つから３つへ増やし、その増やした接点を調整スイッチ２７の代わりに使用するようにしてもよい。
【０１０３】
上記実施の形態では、メモリ５に記憶するＤＳＰ検出電圧６は、電圧制御発振回路２８への指示電圧を調整するために使用している。このメモリ５に記憶するＤＳＰ検出電圧６は、固定水晶発振回路２６の素子ばらつきに応じた分ずれる。したがって、自動周波数制御機能（ＡＦＣ機能）を備える無線機１においては、このメモリ５に記憶するＤＳＰ検出電圧６と、素子ばらつきが無いときのＤＳＰ検出電圧との差を演算し、その差の分だけ周波数追尾の初期値をずらすようにしてもよい。これにより、自動周波数制御機能による周波数追尾動作が、より早く完了することを期待することができる。
【０１０４】
上記実施の形態では、運用モードにおいて制御部４は、メモリ５に記憶されている調整された発振電圧７をそのまま電圧制御発振回路２８に指定している。この他にもたとえば、制御部４は、メモリ５に記憶されている調整された発振電圧７に、所定の値を加減した電圧を、電圧制御発振回路２８に指定するようにしてもよい。また、制御部４は、送信状態で発振電圧７に加減する値と、受信状態で発振電圧７に加減する値とを互いに異なる値としてもよい。
【０１０５】
上記実施の形態の無線機１は、ダブルスーパーヘテロダイン方式の受信部を有する。この他にもたとえば無線機１は、ヘテロダイン方式の受信部を有するものであってもよい。ヘテロダイン方式の受信部では、ＤＳＰ１９は、第一中間周波数増幅部１６から出力される信号の電圧レベルを検出すればよい。
【産業上の利用可能性】
【０１０６】
本発明は、送信用の基準信号を用いて送信信号を生成し、その送信信号による電波を送信する無線機に利用することができる。
【図面の簡単な説明】
【０１０７】
【図１】図１は、本発明の実施の形態に係る小型の無線機のブロック図である。
【図２】図２は、図１中の制御部が設定モードにおいて実行する処理の流れを示すフローチャートである。
【符号の説明】
【０１０８】
１  無線機
４  制御部（調整手段、指定手段）
５  メモリ（記憶手段）
１１  アンテナ
１５  第一ミキサ（ミキサ）
１６  第一中間周波数増幅部（ミキサの後段の回路）
１９  ＤＳＰ（電圧レベル検出手段）
２２  送信用ＶＣＯ回路（送信信号生成手段）
２４  受信用ＶＣＯ回路（ローカル信号生成手段）
２７  調整スイッチ（パイパススイッチ）
２８  電圧制御発振回路（基準信号生成手段）
２９  位相比較回路（位相比較手段）
【図１】
2007251362.tif 000003
【図２】
2007251362.tif 000004